【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
微小孔物質及びピグメントを含む複合体であって、該ピグメントが該微小孔物質内に組み込まれている前記複合体。
【請求項２】
前記ピグメントが微小孔物質に共有結合されている、請求項１に記載の複合体。
【請求項３】
前記微小孔物質が、セラミック、金属、炭素、又はガラスを含む、請求項１に記載の複合体。
【請求項４】
前記微小孔物質が、金属酸化物を含む、請求項１に記載の複合体。
【請求項５】
前記金属酸化物が、酸化アルミニウム、酸化ジルコニウム、酸化チタン、ゼオライト、又はそれらの組合せを含む、請求項４に記載の複合体。
【請求項６】
前記微小孔物質が、無機電気化学的に形成された物質又はエッチ物質を含む、請求項１に記載の複合体。
【請求項７】
前記微小孔物質が、約０.０２ミクロン〜約０.２ミクロンの直径を有する微小孔を含む、請求項１に記載の複合体。
【請求項８】
前記ピグメントが、前記微小孔物質上に沈積される、請求項１に記載の複合体。
【請求項９】
前記ピグメントが、元素金属、金属酸化物、合金、又はそれらの組合せを含む、請求項８に記載の複合体。
【請求項１０】
前記ピグメントが元素金属を含む場合、該元素金属が遷移金属を含む、請求項９に記載の複合体。
【請求項１１】
前記遷移金属が、パラジウム、ニッケル、銀、金、又はそれらの組合せを含む、請求項１０に記載の複合体。
【請求項１２】
前記微小孔物質が酸化アルミニウムを含み、そして前記ピグメントが該微小孔物質上に沈積される１以上の元素遷移金属を含む、請求項１に記載の複合体。
【請求項１３】
前記元素遷移金属が、パラジウム、ニッケル、又はそれらの組合せを含む、請求項１２に記載の複合体。
【請求項１４】
前記複合体がさらにサスペンション・ポリマーを含み、ここで該サスペンション・ポリマーが該複合体の表面付近に局在化される、請求項１に記載の複合体。
【請求項１５】
前記サスペンション・ポリマーが、オリゴヌクレオチド、多糖、タンパク質、又はそれらの組合せを含む、請求項１４に記載の複合体。
【請求項１６】
前記サスペンション・ポリマーが、オリゴヌクレオチドを含む場合、該オリゴヌクレオチドが核酸を含む、請求項１４に記載の複合体。
【請求項１７】
前記複合体が、ビーズ又は膜を含む、請求項１に記載の複合体。
【請求項１８】
ピグメントを微小孔物質に共有結合することを含む、請求項１に記載の複合体の製造方法。
【請求項１９】
ピグメントを微小孔物質上に沈積することを含む、請求項１に記載の複合体の製造方法。
【請求項２０】
請求項１８に記載の方法により作られる複合体。
【請求項２１】
請求項１９に記載の方法により作られる複合体。
【請求項２２】
被分析物の検出のための、請求項１に記載の複合体の使用。
【請求項２３】
前記被分析物が、核酸、タンパク質、寄生虫、真菌、エフェクター分子、リガンド、レセプター、シグナル生成分子、構造分子、イオン、抗原、抗体、組織、細胞、細胞要素、細菌、タンパク質、又はそれらの組み合わせを含む、請求項２２に記載の使用。
【請求項２４】
被分析物を請求項１に記載の複合体と接触することを含む、被分析物の局在化方法。
【請求項２５】
液体サンプルを請求項１に記載の複合体と接触することを含む、液体サンプルから被分析物を分離する方法。
【請求項２６】
被分析物の定量方法であって、以下のステップ：
(ａ)  該被分析物を含む既知の体積を有する液体サンプルを、請求項１に記載の複合体に通し、ここで該被分析物が、該複合体の表面付近に局在化され、そして
(ｂ)  該複合体上の該被分析物を検出するステップ
を含む前記方法。
【請求項２７】
ステップ(ａ)の後又は前のいずれかにおいて、前記被分析物のうちの少なくとも幾つかは、検出可能なトレーサーで標識されて、標識された被分析物を作り出す、請求項２６に記載の方法。
【請求項２８】
前記被分析物が、タンパク質、寄生虫、真菌、エフェクター分子、リガンド、レセプター、シグナル-生成分子、構造分子、イオン、抗原、抗体、組織、細胞、細胞要素、細菌、タンパク質、又はそれらの組合せを含む、請求項２６に記載の方法。
【請求項２９】
前記被分析物が核酸を含む、請求項２６に記載の方法。
【請求項３０】
ステップ(ａ)の前に、サスペンション・ポリマーを前記液体サンプルに加え、ここで該サスペンション・ポリマーが、前記被分析物と相互作用する、請求項２６に記載の方法。
【請求項３１】
核酸の増幅方法であって、(ａ)  該核酸を含む既知の体積を有する液体サンプルを、請求項１に記載の複合体に通し、ここで該核酸が、該複合体の表面付近に局在化され、そして(ｂ)  該核酸を増幅することを含む、前記方法。
【請求項３２】
核酸の増幅方法であって、(ａ)  既知の体積を有する液体サンプル中の核酸を増幅して、増幅された核酸を作り出し、そして(ｂ)  増幅された核酸を含む該サンプルを、請求項１に記載の複合体に通すことを含み、ここで該増幅された核酸が該複合体の表面付近に局在化される、前記方法。
【請求項３３】
核酸のハイブリダイゼーション方法であって、(ａ)  該核酸を含む液体サンプルを、請求項１に記載の複合体に通し、ここで該核酸が該複合体の表面付近に局在化され、そして(ｂ)  該核酸を、該核酸に相補的である結合性オリゴヌクレオチドとハイブリダイゼーションすることを含む、前記方法。
【請求項３４】
核酸のハイブリダイゼーション方法であって、(ａ)  液体サンプル中の核酸を、該核酸と相補的である既知の配列を有する結合性オリゴヌクレオチドとハイブリダイゼーションして、ハイブリダイゼーションされた核酸を作り出し、そして(ｂ)  該ハイブリダイゼーションされた核酸を含む液体サンプルを、請求項１に記載の複合体に通し、ここで該ハイブリダイゼーションされた核酸が、該複合体の表面付近に局在化される、前記方法。
【請求項３５】
核酸同定方法であって、(ａ)  該核酸を含む液体サンプルを、請求項１に記載の複合体に通し、ここで該核酸が、該複合体の表面付近に局在化され、そして(ｂ)  該核酸を、該核酸に相補的である既知の配列を有する結合性オリゴヌクレオチドとハイブリダイゼーションすることを含む、前記方法。
【請求項３６】
核酸同定方法であって、(ａ)  液体サンプル中の核酸を、該核酸と相補的である既知の配列を有する結合性オリゴヌクレオチドとハイブリダイゼーションして、ハイブリダイゼーションされた核酸を作り出し、そして(ｂ)  ハイブリダイゼーションされた核酸を含む液体サンプルを、請求項１に記載の複合体に通すことを含み、ここで該ハイブリダイゼーションされた核酸が、該複合体の表面付近に局在される、前記方法。
【請求項３７】
請求項１に記載の複合体を含む物品。
【請求項３８】
前記物品がろ過装置である、請求項３７に記載の物品。
【請求項３９】
請求項１に記載の複合体、並びに被分析物を検出するための検出手段を含むキット。
【請求項４０】
請求項３７に記載の物品、並びに被分析物を検出するための検出手段を含む、キット。
【請求項４１】
既知の体積を有する液体サンプル中の１以上の被分析物を分離するための方法であって、(ａ)該液体を、微小孔物質を含むフィルターに通すことを含み、ここで該被分析物が該微小孔物質の表面付近に局在化される、前記方法。
【請求項４２】
前記局在化ステップ(ａ)の前又は後に、前記被分析物が検出可能トレーサーで標識される、請求項４１に記載の方法。
【請求項４３】
前記微小孔物質が、無機電気化学的に形成された膜又はエッチ膜を含む、請求項４１に記載の方法。
【請求項４４】
前記微小孔物質が、金属酸化物を含む、請求項４１に記載の方法。
【請求項４５】
前記金属酸化物が、酸化アルミニウム、酸化ジルコニウム、酸化チタン、ゼオライト、又はそれらの組合せを含む、請求項４４に記載の方法。
【請求項４６】
前記被分析物が、タンパク質、寄生虫、真菌、エフェクター分子、リガンド、レセプター、シグナル-生成分子、構造分子、イオン、抗原、抗体、組織、細胞、細胞要素、細菌、タンパク質、又はそれらの組合せを含む、請求項４１に記載の方法。
【請求項４７】
前記被分析物が、核酸を含む、請求項４１に記載の方法。
【請求項４８】
前記微小孔物質が、前記核酸に相補的である結合性オリゴヌクレオチドを含まない、請求項４７に記載の方法。
【請求項４９】
ステップ(ａ)の後に、前記核酸が、非特異的に局在された核酸を含む、請求項４７に記載の方法。
【請求項５０】
ステップ(ａ)の後、前記被分析物が増幅される、請求項４１に記載の方法。
【請求項５１】
ステップ(ａ)の後に、前記被分析物が、前記核酸と相補的な結合性オリゴヌクレオチドとハイブリダイゼーションされる、請求項４７に記載の方法。
【請求項５２】
ステップ(ａ)の後に、前記核酸が、該核酸を同定するため、該核酸と相補的である既知の配列を有する結合性オリゴヌクレオチドでハイブリダイゼーションされる、請求項４７に記載の方法。
【請求項５３】
ステップ(ａ)の前に、サスペンション・ポリマーを前記液体サンプルに加え、ここで該サスペンション・ポリマーが、前記被分析物と相互作用する、請求項４１のいずれか１項に記載の方法。
【請求項５４】
ステップ(ａ)の前に、前記微小孔物質の表面付近へ、サスペンション・ポリマーを局在化する、請求項４１に記載の方法。
【請求項５５】
前記サスペンション・ポリマーは、オリゴヌクレオチド、多糖、タンパク質、又はそれらの組合せを含む、請求項５４に記載の方法。
【請求項５６】
前記サスペンション・ポリマーがオリゴヌクレオチドを含むとき、該オリゴヌクレオチドが核酸を含む、請求項５５に記載の方法。
【請求項５７】
微小孔物質及びサスペンション・ポリマーを含む改変微小孔物質であって、該サスペンション・ポリマーが、該微小孔物質の表面付近に局在化される、前記物質。
【請求項５８】
前記微小孔物質が、金属酸化物を含む、請求項５７に記載の物質。
【請求項５９】
前記サスペンション・ポリマーがオリゴヌクレオチドを含むとき、該オリゴヌクレオチドは核酸を含む、請求項５７に記載の物質。
【請求項６０】
入口及び出口を有するウェル本体を含むろ過装置であって、ここで該ウェル本体が内部壁及び外部壁、並びに(ｂ)被分析物を局在化できる微小孔物質を含むフィルターを含み、ここで該フィルターが、該ウェル本体の該内部壁に取り付けられる、前記装置。
【請求項６１】
２以上のウェル本体を含むろ過装置であって、ここで各ウェル本体が、トップ開口部と底開口部、並びに(ｂ)  被分析物を局在化できる微小孔物質を含むフィルターを含み、ここで該フィルターは、各ウェル本体の底開口部をカバーする、前記装置。
【請求項６２】
被分析物を局在化することができる微小孔物質を含む膜、並びに標識された核酸を検出するための検出手段を含む、キット。